(57)【要約】【課題】装着することにより股関節の可動範囲簡便に制限できる股関節用サポーターを提供する。【解決手段】股関節用サポーター１は、装着者の胴体に固定される面ファスナー１３と、実質的に伸縮しないように形成され、両端部が面ファスナー１３に固定される鼠径部ベルト３０とを備える。【選択図】図３
2020199024.tif 000002
【特許請求の範囲】
【請求項１】
装着者の胴体に固定される固定部と、
実質的に伸縮しないように形成され、両端部が前記固定部に固定される鼠径部ベルトと、
を備える、
股関節用サポーター。
【請求項２】
前記鼠径部ベルトは、前記両端部間の長さを調節可能に構成されている、
請求項１に記載の股関節用サポーター。
【請求項３】
前記固定部および前記鼠径部ベルトは、前記固定部に対する前記両端部の固定位置を変更可能に構成されている、
請求項１または２に記載の股関節用サポーター。
【請求項４】
前記固定部を有し、装着者の腰部に装着可能に構成された腰部ベルトをさらに備える、
請求項１から３のいずれか一項に記載の股関節用サポーター。
【発明の詳細な説明】
【技術分野】
【０００１】
本発明は、股関節用サポーターに関する。
【背景技術】
【０００２】
アスリートの股関節傷害のひとつに大腿骨寛骨臼インピンジメント（Femoroacetabular impingement：ＦＡＩ）がある。現状、ＦＡＩを根治できるのは手術のみであるため、多くのアスリートが痛みを我慢しながら競技を継続しており、ＦＡＩの保存的治療手段が求められている。
【０００３】
特許文献１には、股関節の疾患に基づく大腿骨頭の外偏移動を防止するための股関節用サポーターが記載されている。このサポーターは、伸縮性素材からなる本体を備え、本体は腰部に巻き付けられる腰部ベルトと、大腿部に巻き付けられる大腿部ベルトとからなる。
【先行技術文献】
【特許文献】
【０００４】
【特許文献１】特許第３９８６６３２号公報
【発明の概要】
【発明が解決しようとする課題】
【０００５】
ＦＡＩの主要な原因は、股関節運動に伴って生じる大腿骨と骨盤との衝突であるため、股関節の可動範囲（特に前方への屈曲）を制限することが症状の緩和および重症化の予防に有効である。しかし、特許文献１に記載のサポーターは、骨盤および股関節全体を覆うように取り付けられるため、大腿骨頭の外偏移動を防止できるが、本体が伸縮性素材で形成されているため、股関節の可動範囲はほとんど制限できない。
【０００６】
上記事情を踏まえ、本発明は、装着することにより股関節の可動範囲を簡便に制限できる股関節用サポーターを提供することを目的とする。
【課題を解決するための手段】
【０００７】
本発明は、装着者の胴体に固定される固定部と、実質的に伸縮しないように形成され、両端部が固定部に固定される鼠径部ベルトとを備える股関節用サポーターである。
【発明の効果】
【０００８】
本発明の股関節用サポーターは、装着することにより股関節の可動範囲を簡便に制限できる。
【図面の簡単な説明】
【０００９】
【図１】本発明の第一実施形態に係る股関節用サポーターを示す図である。
【図２】同股関節用サポーターの装着状態の一例を示す図である。
【図３】同股関節用サポーターによる股関節屈曲の制限作用を示す図である。
【図４】同股関節用サポーターの変形例を示す図である。
【図５】本発明の第二実施形態に係る股関節用サポーターを示す図である。
【発明を実施するための形態】
【００１０】
本発明の第一実施形態について、図１から図３を参照して説明する。本実施形態の股関節用サポーター１は、図１に示すように、装着者の胴体に固定される腰部ベルト（固定部）１０と、腰部ベルト１０に取り付けられる鼠径部ベルト３０とを備えている。
【００１１】
腰部ベルト１０は、帯状の本体１１と、本体１１に取り付けられたバックル１２とを備えている。本体１１の一端をバックル１２に通すことで腰部ベルト１０は環状となり、装着者の腰に固定できる。一端とバックル１２との位置関係を変更することにより、環状形状の大きさ（直径）を変更でき、装着者の胴回りに合わせた寸法に調節できる。本体１１において、長手方向の一定範囲には、面ファスナー（固定部）１３が取り付けられており、鼠径部ベルト３０の端部を固定できる。
【００１２】
鼠径部ベルト３０は、本体３１と、本体３１の２か所に設けられた面ファスナー３２とを有する。面ファスナー１３と面ファスナー３２とは、互いに着脱可能な対応関係にあればよく、いずれがフック側でいずれがループ側であってもよい。本体３１は、実質的に伸縮しないように形成されている。
本発明において「実質的に伸縮しない」とは、本体３１の長手方向に１０Ｎの力を作用させたときに、伸び率が５％以下であることを意味する。このような物性を実現する材料としては、天然および合成の皮革や、平織りの布地などを例示できる。
【００１３】
上記の様に構成された股関節用サポーター１の使用時の動作について説明する。
まず、鼠径部ベルト３０の両端部にある面ファスナー３２を腰部ベルト１０の面ファスナー１３に取り付ける。これにより、鼠径部ベルト３０の両端部を腰部ベルト１０に固定するとともに、固定部位間における鼠径部ベルトの長さを調節する。固定部位間における鼠径部ベルトの長さは、設定する股関節の可動範囲に基づいて決定する。
【００１４】
次に装着者は、可動範囲を制限する側の脚を、腰部ベルト１０の一部と固定部位間における鼠径部ベルト３０とで形成された輪の中に通し、腰部ベルト１０を腰の付近まで移動させる。最後に、本体１１の一端をバックル１２に通し、胴回りのサイズに合わせて腰部ベルト１０を留めると、図２に示すように、股関節用サポーター１の装着が完了する。
【００１５】
装着された股関節用サポーター１において、鼠径部ベルト３０の両端部は、背側において腰部ベルト１０の面ファスナー１３の一部に固定されている。鼠径部ベルト３０の中間部は大腿部前側に配置されている。この状態で装着者が大腿部を前側に屈曲すると、図３に示すように、大腿部の前側に配置された鼠径部ベルト３０に接触する。鼠径部ベルト３０は、実質的に伸縮しないため、大腿部の屈曲に追従して伸びず、鼠径部ベルト３０が取り付けられた側の股関節の可動範囲を制限する。鼠径部ベルト３０により制限される可動範囲は、両端部の固定位置や、中間部の長さ等を調節することにより、一定範囲内で調節できる。
【００１６】
以上説明したように、股関節用サポーター１は、鼠径部ベルト３０を適切に腰部ベルト１０に取り付けて使用することにより、簡便に股関節の可動範囲を制限して大腿骨と骨盤との衝突を抑制できる。その結果、ＦＡＩの症状緩和や増悪の抑制に寄与できる。また、衣服の上からでも装着でき、装着しながらの運動も可能である。
【００１７】
本実施形態において、鼠径部ベルトの腰部ベルトへの取り付け態様は、上述した面ファスナーには限られない。
図４に示す変形例の股関節用サポーター１Ａにおいて、鼠径部ベルト４０は、一端が腰部ベルト１０の固定部１５および１６に縫い付けて固定された第一ベルト４１および第二ベルト４２を有する。第一ベルト４１には、無段階調整式のバックル４３が取り付けられており、第二ベルト４２の端部をバックル４３に通すことにより、第一ベルト４１と第二ベルト４２とが、両端部が腰部ベルトに固定された一本の鼠径部ベルト４０となる。固定部１５、１６間における鼠径部ベルト４０の長さは、第二ベルト４２のバックルへの固定位置を変えることにより、所望の値に調節できる。
【００１８】
本発明の第二実施形態について、図５を参照して説明する。以降の説明において、既に説明したものと共通する構成については、同一の符号を付して重複する説明を省略する。
【００１９】
図５は、本実施形態の股関節用サポーター５１を示す図である。股関節用サポーター５１は、腰部ベルト５２と、鼠径部ベルト５５とを備えている。
腰部ベルト５２には、固定部として４つのボタンが取り付けられている。４つのボタンは、２つのボタン５３Ａと、２つのボタン５３Ｂとで構成されている。ボタン５３Ａは、鼠径部ベルトを右足に取り付ける際に使用する。ボタン５３Ｂは、鼠径部ベルトを左足に取り付ける際に使用する。
【００２０】
鼠径部ベルト５５は、複数のボタン穴５６と、ゴムパッド５７とを有する。ボタン穴５６は、鼠径部ベルト５５の両端部に、一定間隔で並べて形成されている。ゴムパッド５７は、鼠径部ベルト５５の長手方向中央部に取り付けられている。ゴムパッド５７の幅寸法は、鼠径部ベルト５５の幅寸法よりも大きい。
【００２１】
股関節用サポーター５１を使用する場合、使用者は、鼠径部ベルト５５の両端部のボタン穴に、腰部ベルト５２に取り付けられたボタンの一つを通す。例えば、右足股関節の可動範囲を制限したい場合は、ボタン５３Ａをボタン穴５６に通す。
鼠径部ベルト５５は、ボタン５３Ａまたは５３Ｂが通された位置で腰部ベルト５２に固定される。鼠径部ベルト５５自体の長さは変化しないが、ボタンを通すボタン穴を変更することにより、鼠径部ベルトの固定部位間の長さを調節できる。
【００２２】
鼠径部ベルト５５は、ゴムパッド５７が脚と接触するように装着する。股関節用サポーター５１の装着中は、ゴムパッドの弾性変形が接触部分との密着性を高めると同時に鼠径部ベルトの過度な圧迫を緩衝し、装着部位の皮膚障害などを抑制する。
【００２３】
本実施形態の股関節用サポーター５１も第一実施形態の股関節用サポーター１と同様に、簡便に股関節の可動範囲を制限して大腿骨と骨盤との衝突を抑制できる。
【００２４】
また、鼠径部ベルトを固定するためのボタンとして、右足用のボタン５３Ａと左足用のボタン５３Ｂとを有するため、一つのサポーターでどちらの脚の可動範囲制限にも適用できる。鼠径部ベルトが２本あれば、脚の可動範囲を制限することも可能である。
【００２５】
さらに、ボタン穴５６を複数有するため、鼠径部ベルトの固定部位間の長さ調節も容易である。
加えて、鼠径部ベルト５５において、脚を押圧するゴムパッド５７が鼠径部ベルト５５自体よりも幅広であるため、脚との接触面積が増加し、局所的に過大な圧迫が生じることを防止できる。
【００２６】
本実施形態では、腰部ベルトがボタンを有し、鼠径部ベルトがボタン穴を有する例を説明したが、腰部ベルトがボタン穴を有し、鼠径部ベルトがボタンを有してもよい。固定手段もボタンには限られず、第一実施形態で説明した面ファスナーなどが用いられてもよい。
腰部ベルトにボタンを設ける場合、ボタンはどちら側の面に位置してもよい。
【００２７】
ゴムパッド５７は、鼠径部ベルトと同じ幅でもよいし、省略されてもよい。ゴムパッド５７に代えて、エラストマーのパッドが用いられてもよい。
隣接するボタン５３Ａとボタン５３Ｂとが一つの共通ボタンにまとめられ、右足への装着時と左足への装着時との両方に使用されてもよい。
【００２８】
以上、本発明の各実施形態について説明したが、本発明の技術的範囲は上記各実施形態に限定されるものではなく、本発明の趣旨を逸脱しない範囲において構成要素の組み合わせを変えたり、各構成要素に種々の変更を加えたり、削除したりすることが可能である。
【００２９】
例えば、鼠径部ベルトが固定される固定部は、上述した腰部ベルトに設けられなくてもよい。すなわち、鼠径部ベルトによる脚への圧迫が実現できれば腰部ベルトは必須ではない。鼠径部ベルトは、両端部が固定されることにより脚を安定して圧迫できるため、腰部ベルトに代えて、胸部に留めるベルトや、肩に掛けるベルトに固定部が設けられてもよい。さらに、ベルトの形態をとらずに、粘着パッド等を用いて固定部のみを装着者の体表のある位置に固定して設けてもよい。
【００３０】
本実施形態における鼠径部ベルトは、上述した「実質的に伸縮しない」の定義に該当すれば、弾性変形する材料で形成されてもよい。例えば、長手方向に１０Ｎの力を作用させたときの伸び率が２％で、長手方向に１５Ｎの力を作用させたときの伸び率が１０％となるような材料で鼠径部ベルトが形成されてもよい。
【符号の説明】
【００３１】
１、１Ａ、５１  股関節用サポーター
１０、５２  腰部ベルト
１３  面ファスナー（固定部）
１５、１６  固定部
３０、４０、５５  鼠径部ベルト
５３Ａ、５３Ｂ  ボタン（固定部）
【図１】
2020199024.tif 000003
【図２】
2020199024.tif 000004
【図３】
2020199024.tif 000005
【図４】
2020199024.tif 000006
【図５】
2020199024.tif 000007